(57)【要約】容器（１）は加熱又は冷却効果を発生させる反応室（４）を収容するための密封安全ポケット（３）を含む。安全ポケットは、容器内部でシートを折り畳み、かつ、シートの末端を容器の縁に接合することによって構築される。【選択図】図１
2016531057.tif 000002
【特許請求の範囲】
【請求項１】
セルフサービスでの消費可能な調製物のための、携帯用の扱いやすい保温柔軟容器（１）であって、前記保温柔軟容器（１）は消費用製品（２”）を含む第１ポケット、包装又は袋（２）と、試薬（５”）及び化学反応生成物（５’）を含み、調整された（ｃａｌｉｂｒａｔｅｄ）解放及び結合を備える反応室（４）と、前記反応生成物と調製及び消費するための前記製品とを分離するための手段又は壁とから成る、自動加熱又は自動冷却の熱チャージを内側に含み、具体化された内部熱交換を備えた前記保温柔軟容器（１）は、消費用製品（２”）を含むための第１ポケット（２）と、反応室（４）を含むための第２ポケット（３）との二重のポケットを備える包装又は袋のように形づくられ、前記反応室を含むことを意図する前記第２ポケット（３）はシート（３’）を降り畳むことによって形成され、前記保温柔軟容器（１）は注ぎ口（７）を持つ頂部、前記頂部の反対側の底部及び前記頂部と前記底部との間に広がる２つの側面を有し、前記保温柔軟容器（１）は前記反応室（４）内で発生する可能性のある超過圧力を制御することを目的とする安全弁（６）を含み、前記安全弁は前記第１及び第２ポケット（２、３）の両方に作用することを特徴とし、かつ、前記安全弁（６）は前記ポケットの広範囲な側方の破壊又は崩壊を防ぐために前記容器（１）の前記側面の少なくとも一方に沿って配置されることを特徴とする、前記保温柔軟容器（１）。
【請求項２】
前記安全弁（６）が、前記少なくとも一方の側面に沿って、底部側からはじまって、前記反応室を含むことを意図する前記第２ポケット（３）の約１／２の高さであり、前記容器（１）のおよそ１／４の長さに位置する点に位置付けられることを特徴とする、請求項１に記載の、携帯用の扱いやすい保温柔軟容器。
【請求項３】
前記安全弁（６）が、前記容器（１）の前記第１ポケット（２）及び前記第２ポケット（３）の前記側面に沿った点に配置される縫い目の調整通風弁（ｃａｌｉｂｒａｔｅｄ  ｄｒａｆｔ）から形成されることを特徴とする、請求項１又は２に記載の、携帯用の扱いやすい保温柔軟容器（１）。
【請求項４】
前記試薬（５”）及び前記化学反応生成物（５’）を含む前記反応室（４）が、前記第１ポケット（２）内で折り畳まれ、かつ、前記第１ポケット（２）の末端縁とその末端で結合するシート（３’）によって構築される前記第２ポケット（３）内に収容されることを特徴とする、請求項１に記載の、携帯用の扱いやすい保温柔軟容器（１）。
【請求項５】
前記反応室（４）が、前記側面又は前記底部から前記第２ポケット（３）へ挿入されることを特徴とする、請求項１〜４のいずれか１項に記載の、携帯用の扱いやす保温柔軟容器（１）。
【請求項６】
前記化学反応生成物（５”）が、調整されたトリガー及び反応の程度（温度差）を有し、かつ段階的で広範であり、均一で制御される熱効果の放出を備える、保護層で覆われたトローチ又はカプセル又はタブレット又はウエハーの形であることを特徴とする、請求項１〜５のいずれか１項に記載の、携帯用の扱いやすい保温柔軟容器（１）。
【請求項７】
その上、前記試薬（５’）が前記容器（５）内に格納され、かつ、前記試薬（５’）の前記容器（５）が、所定の破断線に沿った調整された圧力によって破壊可能な非蒸発性の及び／又は不凍の液体の泡であることを特徴とする、請求項１〜６のいずれか１項に記載の、携帯用の扱いやすい保温柔軟容器（１）。
【請求項８】
以下の工程を含む、請求項１〜７のいずれか１項に記載の、携帯用の扱いやすい保温柔軟容器（１）の製造方法：
−それぞれに末端縁（Ｂ、Ｃ）を備える、同じ長さの末端の２つの片を有する第１ポケット（２）を得るために、第１シート（２’）を折り畳む工程と、
−それぞれに末端縁（Ａ、Ａ’）を備える、異なる長さの末端の２つの片を有する第２ポケット（３）を得るために、第２シート（３’）を折り畳む工程と、
−前記折り畳まれた第２シート（３’）を前記折り畳まれた第１シート（２’）に挿入する工程と、
−前記折り畳まれた第２シート（３’）の前記短片の前記末端縁（Ａ）を、前記折り畳まれた第１シート（２’）の第１片の前記末端縁（Ｂ）と接合する工程と、
−前記折り畳まれた第２シート（３’）の前記長片の中間点（Ａ”）を、前記折り畳まれた第１シート（２’）の前記第２片の前記末端縁（Ｃ）と接合する工程と、
−前記折り畳まれた第２シート（３’）の前記長片の前記末端縁（Ａ’）を、前記折り畳まれた第１シート（２’）の前記第１片の前記末端縁（Ｂ）、及び前記折り畳まれた第２シート（３’）の前記短片の前記末端縁（Ａ）と接合し、それによって一対の支持足部（１’、１”）を得る工程と、
−前記折り畳まれた第２シート（３’）によって構築される前記第２ポケット（３）に前記反応室（４）を側方に挿入する工程。
【請求項９】
以下の工程を含む、請求項１〜７のいずれか１項に記載の、携帯用の扱いやすい保温柔軟容器（１）の製造方法：
−それぞれに末端縁（Ｂ、Ｃ）を備える、同じ長さの末端の２つの片を有する第１ポケット（２）を得るために、第１シート（２’）を折り畳む工程と、
−それぞれに末端縁（Ａ、Ａ’）を備える、異なる長さの末端の２つの片を有する第２ポケット（３）を得るために、第２シート（３’）を折り畳む工程と、
−前記折り畳まれた第２シート（３’）を前記折り畳まれた第１シート（２’）に挿入する工程と、
−前記折り畳まれた第２シート（３’）の第１片の前記末端縁（Ａ）を、前記折り畳まれた第１シート（２’）の第１片の前記末端縁（Ｂ）と接合する工程と、
−前記折り畳まれた第２シート（３’）の前記第２片の前記末端縁（Ａ’）を、前記折り畳まれた第１シート（２’）の前記第２片の前記末端縁（Ｃ）と接合する工程と、
−前記折り畳まれた第２シート（３’）によって構築される前記第２ポケット（３）に前記反応室（４）を底部から挿入する工程。
【請求項１０】
あらゆる種類及び粘度の液状物質で充填するための、具体的には食品、食用又は非食用の液体で充填するための、柔軟で扱いやすく、かつ安全な包装における、請求項１〜７のいずれか１項に記載の、前記携帯用の扱いやすい保温柔軟容器（１）の使用。
【請求項１１】
具体的には、運動及び自由時間用の、清涼飲料水、回復用、エネルギー補給用、強壮用、飲料及びソフトドリンク；飲料及び液体食品、ソース、クリーム及び香味料；栄養補給によるベビーボトル及びディスペンサーとして使用されるベビーフーズ；化粧品、ボディケア適用物、美容、保温及び福祉の処置用品（ｔｒｅａｔｍｅｎｔｓ）；薬品、治療用品（ｔｈｅｒａｐｅｕｔｉｃｓ）、補助剤、治療製剤の投与のためのすぐに使える薬包及び健康用の栄養統合品；軍隊用の衛生器具及び供給食料；災害での市民部隊の介入用及び人道介入用の製品、供給品及び救急品；（接着剤、密閉手段、パテ、漆喰、塗料、化合物等のような）産業及び建築の製品；娯楽及び日曜大工の製品のような消費用製品及び／又は必需製品であって、それらの応用／利用のための最小限又はプリセット温度を必要とする、前記製品の使い捨て容器としての、請求項１〜７のいずれか１項に記載の、前記携帯用の扱いやすい保温柔軟容器（１）の使用。
【請求項１２】
例えば牛乳、飲料又は他の商品の冷凍品をしばらくの間、販売業者から消費者へ運びうる、スーパーマーケットの保温性の包装として取って代わる、請求項１〜７のいずれか１項に記載の、前記携帯用の扱いやすい保温柔軟容器（１）の使用。
【請求項１３】
飲料、液体及び固体食品、飲用水又は清浄水、クリーム、薬品、必需製品などを、航空宇宙用に包装するための、請求項１〜７のいずれか１項に記載の、前記携帯用の扱いやすい保温柔軟容器（１）の使用。
【発明の詳細な説明】
【技術分野】
【０００１】
液体又は固体の充填物質用の、具体的には食料品、飲料、液体食品又は非食用製品用の、チャージされた加熱又は冷却の保温装置を包含する、柔軟な携帯用の袋。
【０００２】
本発明は、自動加熱又は自動冷却の、包装又は袋のような形の使い捨ての保温柔軟容器に言及する。
【背景技術】
【０００３】
本発明は様々な応用の利用を発見する：食品、医療、調剤、自由時間、娯楽、運動、趣味、日曜大工、戦場及び人道的支援用並びに人道的介入用、災害介入用等。
【０００４】
本発明の主題の、具体化される内部熱交換を備える保温柔軟容器は、１つは消費用製品を含み、もう１つは反応室を安全に含む、二重のポケットを備える包装又は袋のような形である。反応室を含むことを意図されるポケットは単一のシートを折り畳むことによって形成される。
【０００５】
化学反応生成物と接触する反応液を含む袋を破壊する圧力によって生じる加熱又は吸熱反応であって、前記工程が反応室内で生じる、前記反応を利用する、加熱又は冷却を必要とする消費用製品の便利な使い捨て容器が課題である。本設計の特性として、二重のポケットの結果、反応室は消費用製品から完全に隔離され、「バッグインバッグ」又は「バッグインバッグインバッグ」の概念を用いた既に周知の技術の製品と比較して、著しく増加した、顕著な安全性のレベルをもたらす。
【０００６】
本容器は二重機能の弁、すなわち化学反応によって、若しくは化学反応物の誤った用量によって、又は本容器の誤った使用の場合に、発生する可能性のある超過圧力を調整する目的で、反応室を含むポケット及び消費用製品を含むポケットに対して、同時にその機能を果たす、前記二重機能の弁を備える。製品の消費は蓋で保護される注ぎ口又は破って開けることによって生じる。
【０００７】
上記の技術革新の結果、本発明の主題の容器は周知技術の従来の製品の欠点に対抗し、かつ解決する。
【０００８】
仮に特許文献１が吸熱のポケットサイズの柔軟容器の構想を最初に導入したとしても、扱いの困難さを誘発する多すぎる別個の区画による容器の設計によって、依然として過度に原始的である結果となり、かつ、消費用製品を含む空間と浸される反応室が隣接することで食物の安全性を制限する。
【０００９】
特許文献２（及び対応する欧州特許出願ＥＰ２６１９２７９号）は、定義された機能：試薬、反応液、反応室、消費用製品にそれぞれ割り当てられる多層の専用空間を備えるカスケード多重室構想を導入する；それにもかかわらず、たとえ底部に位置する弁を加えても、反応室は基本的に縫い目から破れ、特に側面の縫い目から破れるので、過圧に起因する室の破壊の場合に、食物の安全性は保証されない。
【００１０】
特許文献３は、革新的な原理の観点からは先の発明の純粋な侵害であり、その上、請求項に係る素材の弾性が、包装の柔軟性を必ずしも必要としないこと及び包装の剛性を除外していないことから、図及び請求項からは、柔軟性の基本的な特徴が欠落しているように見える。
【先行技術文献】
【特許文献】
【００１１】
【特許文献１】欧州特許ＥＰ１８９６６３４３号
【特許文献２】国際出願ＰＣＴ／ＩＢ２０１１／００２２２３号
【特許文献３】国際公開ＷＯ２０１２／１１４７９号
【発明の概要】
【発明が解決しようとする課題】
【００１２】
本発明は、加熱又は冷却される熱処理前の物質に施すための内部熱交換を備える、扱いやすい柔軟容器であって、その革新的な特徴が、熱チャージを含む反応室を構築する要素が、前記容器の壁によって構築される消費用製品用のポケットの内側の、シートを折り畳むことによって構築される安全ポケットに、側面部又は底部から挿入されるという事実にある、前記容器に代わりに言及する。
【００１３】
新たな目的は、ただ互換性／リチャージを可能にするだけの包装又はポケットを、シートを折り畳むことによって構築することではなく、代わりに基本的に、消費用製品と、反応室を含む介在（ｉｎｔｅｒｐｏｓｅｄ）ポケットによって完全に隔離される反応室との接触を防ぐことである。
【００１４】
熱効果を促進するために消費用製品中に浸される反応室を有するという周知技術の認定とは違い、本発想の特性は、我々の場合、反応室は消費用製品に浸されていないことに加えて、さらに介在中間安全ポケットによって遮蔽されることである；実際には、本目的は消費用製品と反応室との間への反応室を含むポケットの介在を通じてそれを避けることそのものである。
【課題を解決するための手段】
【００１５】
より正確な本発明の認定の主題は、請求項１に記載される、セルフサービスでの消費可能な調製物のための、携帯用の扱いやすい保温柔軟容器であって、前記保温柔軟容器は消費用製品を含むポケット、包装又は袋と、試薬及び化学反応生成物を含み、キャリブレートされた解放及び結合を備える分離手段と、反応生成物と調製及び消費するための製品とを分離するための手段又は壁とから成る、自動加熱又は自動冷却の熱チャージを内側に含み、具体化された内部熱交換を備えた前記保温柔軟容器は、１つは消費用製品を含むためであり、他方は反応室を含むためである二重のポケットを備える包装又は袋のように形づくられ、反応室を含むことを意図するポケットはシートを降り畳むことによって形成されるという事実によって特徴付けられる、前記保温柔軟容器に言及する。
【００１６】
本発明に由来するさらなる利点は、請求項２〜９中の以下の記述で言及する。
【００１７】
セルフサービスでの消費可能な調製物のための、携帯用の扱いやすい保温柔軟容器は、化学試薬又は熱チャージのパッケージを含む熱反応室を構築する要素が、ポケットの内側で、その末端と前記ポケットの末端縁を接合するシートを折り畳むことによって構築される分離安全ポケット内に配置されるという事実によって特徴付けられる。
【００１８】
反応室を構築し、かつ熱チャージを含む前記要素は、側面部又は底部から、前記容器の壁のシートによって構築される、消費用製品用のポケットの内側の、シートを折り畳むことによって構築される安全ポケットに挿入される。
【００１９】
化学試薬のパッケージを含む熱反応室を含む前記要素は、ポケットの内側の点で袋形のシートの延長片を折り畳み、側面装填の直立容器を構築するためのポケットを得るために、延長片そのものをその末端で、消費用製品のポケットを構築するシートの末端縁とそれぞれ接合することで構築される、ポケットによって形成される。
【図面の簡単な説明】
【００２０】
【図１】その直立の実施方法についての、反応室及び水平に配置される液体を含む泡の側面挿入の場合の、容器の内部構成要素を表す、本発明の容器の図を示す。
【図１ａ】その直立の実施方法についての、上向きの反応室及び垂直に配置される液体を含む泡の側面挿入の場合の、容器の内部構成要素を表す、本発明の容器の図を示す。
【図２】その直立の実施方法についての、本発明の容器の専用収容ポケットへの、水平に配置される液体を含む泡を備える反応室の、側面挿入の方法を示す。
【図２ａ】その直立の実施方法についての、本発明の容器の専用収容ポケットへの、垂直に配置される液体を含む泡を備える上向きの反応室の、側面挿入の方法を示す。
【図３】その直立の実施方法についての、反応室の側面挿入を備える、本発明の容器の正面図を強調する。
【図４】線ＩＶ−ＩＶに沿った図３の容器の側面の断面図を示す。
【図５】その直立の実施方法についての、専用収容ポケットへの反応室の側面挿入を備える、本発明の容器の断面の透視図を表す。
【図６】その直立容器の実施方法についての、反応室の側面挿入を備える消費用製品のポケットを構築するためのシートを、反応室の収容ポケットを構築するためのシートと共に示す。
【図６ａ】その直立の実施方法についての、反応室の側面挿入を備える容器の場合の、反応室の収容ポケットの構築方法を表す。
【図６ｂ】消費用製品のポケット及び反応室の密閉収容ポケットを構築するシートの下縁の接触点、縫い目を強調する、１つ前の図６ａの下部の細部拡大図を示す。
【図６ｃ】その直立の実施方法についての、反応室の側面挿入を備える容器の場合の、反応室の収容ポケットの構築方法を表す。
【図７】その直立の実施方法についての、組立容器、消費用製品用のポケット、反応室の介在／収容ポケット、容器の構成要素を強調する反応室の、断面の透視図を示す。
【図８】その標準の実施方法についての、反応室及び水平に配置される液体を含む泡の底部挿入の場合の、容器の内部構成要素を表す、本発明の容器の図を示す。
【図８ａ】その標準の実施方法についての、上向きの反応室及び垂直に配置される液体を含む泡の底部挿入の場合の、容器の内部構成要素を表す、本発明の容器の図を示す。
【図９】その標準の実施方法についての、本発明の容器の専用収容ポケットへの、水平に配置される反応液体の泡を備える反応室の底部挿入の方法を示す。
【図９ａ】その標準の実施方法についての、本発明の容器の専用収容ポケットへの、垂直に配置される反応液体の泡を備える上向きの反応室の底部挿入の方法を示す。
【図１０】その標準の実施方法の場合の、反応室の底部挿入を備える、本発明の容器の消費用製品のポケットを構築するためのシートを、反応室の収容ポケットを構築するためのシートと共に示す。
【図１１】その標準の実施方法の場合の、反応室の底部挿入を備える本発明の容器の正面図を強調する。
【図１２】線ＸＩ−ＸＩに沿った図１１の容器の側面の断面図を示す。
【図１３】その標準型の容器の場合の、独立の反応室に含まれる試薬及び反応液体の実施方法における、収容ポケットへの反応室の底部挿入を示す。
【図１３ａ】その標準型の容器の場合の、消費用製品のポケットを構築するシートの拡張によって形成されるポケットに収容される、遊離する試薬及び反応液体の実施方法における、収容ポケットへの反応室の底部挿入を示す。
【図１３ｂ】その標準型の容器の場合の、反応室内で試薬内部に含まれる反応液体の泡の実施方法における、収容ポケットへの反応室の底部挿入を示す。
【図１４】その標準型の容器の場合の、図１３の反応室の底部装填完了後に接合された様々なポケットの末端縁、及び完成した容器を示す。
【図１４ａ】その標準型の容器の場合の、図１３ａの反応室の底部装填完了後に接合された様々なポケットの末端縁、及び完成した容器を示す。
【図１４ｂ】その標準型の容器の場合の、図１３ｂの反応室の底部装填完了後に接合された様々なポケットの末端縁、及び完成した容器を示す。
【発明を実施するための形態】
【００２１】
化学試薬のパッケージを含む熱反応室を含む要素の異なる実施方法は、ポケットを得るために、消費用製品のポケットの内側で袋形のシートの端を接合し、底部装填の包装又は袋のような形の容器を構築するために、袋形のシートをその末端と、消費用製品のポケットを構築するシートの末端縁で、接合することでそれぞれが構築される、前記ポケットによって形成される。反応化学生成物は、段階的で広範であり、均一で制御される熱効果の放出を有する、調整されたトリガー及び反応を備える、保護層で覆われるトローチ又はカプセル又はタブレット又はウエハーの形であり、さらに試薬の容器は非蒸発性及び／又は不凍の液体の泡であり、所定の破断線に沿った調整された圧力によって破壊可能であり、たとえ少量の化学生成物しか利用されなくても、圧力によって作動する液体の均一で漸進的であり、かつ全体の放出が、改善され、かつ増加する熱効果を生じさせる。
【００２２】
反応室の反爆燃（ａｎｔｉ−ｄｅｆｌａｇｒａｔｉｏｎ）安全弁は消費用製品のポケット及び反応室を含むポケットに対して二価（ｂｉｖａｌｅｎｔ）であり、かつ、それらの広範囲の側面の破壊又は崩壊を防ぐために容器の外縁に沿って配置され、かつ、同様に前記ポケットの外縁に沿った点に配置される縫い目の調整通風弁（ｃａｌｉｂｒａｔｅｄ  ｄｒａｆｔ）のみによって形成されうる。
【００２３】
本発明の前記容器は、前記柔軟容器が、食物の及び／又は操作の安全性のための介在ポケットによって隔離される、独立した反応室への調整された圧力によって活性化されうる、柔軟で、変形可能であり、扱いやすく携帯用の包装又は袋のような形であるという事実によって特徴付けられる。
【００２４】
前記容器は、あらゆる種類及び粘度の液状物質で充填するための、具体的には食品又は個体、食用及び非食用の液で充填するための、柔軟で扱いやすく、かつ安全な包装での、セルフサービスでの消費可能な調製物のための固有の利用及び応用がされる。
【００２５】
本発明の認定の主題のより正確なさらなる特徴は、以下と関連する：
【００２６】
１．化学試薬の形態
包装されていない粉末の化学物質を利用する代わりに、本発明の新たな目的の主題によって、前記化学物質が錠剤、トローチ、円筒状又はその他の形状のカプセル、タブレット等として用意され、以下の著しい利点を備える：
ａ）用量の高適合率
ｂ）保護層を備えるタブレット又はカプセル又はウエハーの、保護される形である試薬を保護しうる、大気中の湿気の考えられる流入の顕著な減少；反応室のより速い実行速度（産業工程の促進）；生産工程中、又は企業が反応室のみを顧客に提供し、自身で包装を構築し、かつ、それを充填しなければならない消費用製品の製造者が、第三者によって構築される反応室を受け取る場合の、容易な保存；
ｃ）高すぎる温度による火傷又は不快の危険性なしに、摂取を待っている利用者の手に包装を持つことを可能にする、より段階的な方法での化学反応の進行；熱が急速に増大し、かつ時間が経過することで、消費用製品に熱伝導し、包装を手に持つことが不快になる、これまでの装置の代わりとなる；その上、消費者に製品を、最も高い温度又は本人のより好みに合う低い温度で消費するかどうかを選択することを可能にする；
ｄ）化学反応により到達した最終温度が長持ちし、製品の消費の回数及び方法を改善する。
【００２７】
２．液体を含む泡
本発明の認定の主題によっては、液体試薬の容器は偶然には壊れず、かつ物質それ自身で壊れないが、故意に設計された縫い目で壊れ、その結果、破壊／開通はより明確で、より正確であり、より均一、かつ、より完全となり、また、より段階的で、到達する温度の差に対してより測定可能であり、かつ、より完全な熱反応を生じさせる。
【００２８】
これは反応室を含むポケットの内側で、泡を水平か垂直かにかかわらず配置できることを可能にし、製造（産業段階）をより容易かつより正確にする。
【００２９】
その上、利用者は開通／破壊が起きたかどうかを容易に理解することができ、さらにこれまでの周知技術の実行によっては、液体の泡でも壊れない可能性があるという欠点に加えて、泡の開通／破壊が起きたかどうかを直ちに理解することはより困難であって、その上包装とその他との間では感触が全く異なるおそれがあり、従って破壊の発生について不安が増大し、かつ使用を不快にさせる。
【００３０】
開通を実行するために作用する圧力に応じた縫い目の調整は明確に、より正確であり、かつ、より効果的である。
【００３１】
泡は全側面を開通するので、我々の開通／破壊は液体全体が泡から流出することを保証する；これは液体全体が泡から流出し、かつ、化学生成物と作用する状態になるという確実性を与える；化学生成物の即時の凝固及び、泡の個室からの液体の部分的な流出だけであるという可能性が原因で、化学反応を十分に、又は同じ方法又は同じ速度で起こすために液体全体が作用する状態にならず、有効性に多数の不確実性又はより大きな不確実性を発生させ、又は、同様に反応自身の有効性の減少を発生させる可能性がある、従来の代わりとなる。
【００３２】
従来、その他の種類では、到達温度及び加熱回数について利用者に誘発される不安によって製品の魅力を弱めているのに加えて、同様に温度差を正確に測定することを不確かにし、明確により困難にし、又は不可能に近いものにしていた；このことは最終生産物の利用及び販売に悪い影響を与える。
【００３３】
本発明の前記溶液はそれどころか、外部の気象条件、保管場所、利用方法及び含まれる生産物に利用を適合／順応させるための、より大きい温度差の包装を制作することを可能にし、かなりの精度で温度差を調整することを可能にする。その上、前記溶液は、我々が微温であることのみを必要とする製品、又は設定温度を有する製品を製作する場合に、到達温度を調べるのに役立つ。
【００３４】
３．安全弁
安全弁６は包装の側面に確実に配置され、すなわち１”’で接合され、好ましくは両側面又は左側若しくは右側に、包装の底から計算して、反応室４を含むポケット３の約１／２の高さに位置する点に配置され、外部の包装の約１／４の長さのところに配置される。
【００３５】
周知技術のような容器においては、安全弁は配置及び関連効率の詳細なしに、付加的要素として記述される。それどころか、意識的に行われる試験の結果として、包装は（誤った使用及びそれ故の内部圧力の増加の場合）常に横方向に壊れることが明白であった。縫い目の側面崩壊が前もって起きるので、包装の底部又は頂部に配置される弁はその結果、実質的に効果がなく、かつ著しく効果的ではない。
【００３６】
周知技術の実行において、弁は反応室の付加の／応用の要素として示される；反応室の活性化後に破裂する問題が生じるので、周知技術の弁は役に立たない。
【００３７】
適切に強調され、又は着色される場合、安全弁は標識の機能も同様に果たしうる。
【００３８】
この場合、安全弁は同様に、販売用及び輸送用並びに消費者への配達用の分類を管理し、かつ消費者が、一方では個人の利用と消費者の家族、主に消費者の子供への手渡しとを区別できることを可能にし、かつ他方では万人向けの安全性を増やすことを可能にし、火傷等の危険性を回避することを可能にすることに役立つ。人が直面する使用、及び次に基準温度の条件によって、人はどちらの容器を持参し、かつ使用するかを選択するだろう。
【００３９】
この方法では、人は包装が間違われうるのを回避する。その上、反応室によって生じる加熱差に対して非常に外気温が低いため、不十分な加熱の危険性と同様に火傷の危険性は減少する。
【００４０】
包装のモデル
１．直立の包装
２．標準の包装であって、好ましくは食品用の標準の包装
３．必要とする／最適な温度差及び／又は熱容量に応じて異なる色の帯を備える
上記の差異は限定するものではなく、かつ、様々なモデルの特徴は互いに結合しうる。
【００４１】
我々は今ここで、付属の図面への参照で、発明自身のいかなる一般性をもさらに奪うことなく、本認定の幾つかの顕著な実施方法を以下に記述する。
【００４２】
反応室４の側面又は底部の挿入によって組み込まれた内部熱交換を備える保温柔軟容器１は、１つは消費用製品２”を含むポケット２と、もう一方は反応室４を含む３である、二重ポケットの包装又は袋のように形づくられる。
【００４３】
反応室４を含むことを意図するポケット３は、消費用製品２”のポケット２を構築するシート２’の内側に導入され、かつ前記シートの末端縁２’、３’に沿ってシート２’と密閉して接合する、単一のシート３’を折り畳むことによって構築される。
【００４４】
加熱又は冷却を必要とする消費用製品用の使い捨ての扱いやすい容器が問題である。
【００４５】
加熱又は冷却は、結果として望ましい加熱／吸熱反応を引き起こす試薬物質５”とそれ自身を混合する、反応液体５’を含む調整された袋５を破壊する圧力によって生じる加熱又は吸熱反応を利用することで生じる。
【００４６】
本発想の特性は、二重ポケットの存在の結果反応室４は消費用製品２”から完全に隔離され、反応室４と消費用製品２”を含むポケット２との間のポケット３の介在のため、それにより消費用製品２”が汚染される可能性がなく、これまでの種類の周知の容器に対して、著しく増加した、顕著な安全レベルを生じさせることである。
【００４７】
容器１は側面１”’に配置される二重機能弁６を備え、前記二重機能弁６は、注ぎ口７及び蓋８に対しての蒸気及び過圧の生成と一体の、ポケット２の内側の消費用液体の過熱、又は化学反応によって反応室４内に発生する可能性のある超過圧力を調整する目的で、ポケット２及びポケット３に対して同時にその機能を果たす。
【実施例１】
【００４８】
実施例１−直立容器
本発明の認定の主題の具体的な好ましい本実施方法は、瓶又は紙パックのように立つことを可能にし、かつ、真っ直ぐに立って、蓋が開いていても消費用製品があふれ出ることを防ぎ、かつ、結果として生じる取り扱い及び消費の快適さを可能にする、優れた特徴を示す。
【００４９】
容器１は
−シート２’によって構築される消費用製品用のポケット２と；
−消費用製品２”と；
−シート３’を折り畳むことによって構築される反応室を含むポケット３と；
−反応室４と；
−反応液体５’を含み、プリセットの破壊域１０又は１１を備える袋５と；
−反応液体５’と；
−錠剤、カプセル又はその他の形の化学試薬５”と；
−標識として意図的に機能する、累積過圧安全弁６と；
−蓋８を備える注ぎ口７と；
−容器の袋を破って開けるための通風域（ｄｒａｆｔ  ａｒｅａ）又は線９と；
−容器の頂部及び側面の輪郭に沿って密封するための縫い目１”’と；
−消費用製品の容器のシート２’の縁と接合されるシート３’を折り畳むことによって構築される、容器が真っ直ぐ立つことを可能にする、密封及び支持足部１’、１”と
を含む。
【００５０】
その直立型の容器１は、２つの区画５、５’であって、一方の区画５は制御された崩壊を備える密閉壁を備える、前記区画５、５’を備える変形可能な反応室４を同様に含む密封ポケット３を内部に収容する、消費用液体２”を含むポケット２を含む。
【００５１】
前記反応室４は、調整された圧力で、それらの水平又は垂直の配置に従うその縫い目１０、１１に沿って破壊する、反応要素である反応液体５’を備える袋５と、かつ化学反応生成物の試薬要素５”とを含む内部区画を備える：操作が開始される場合、液体５’は流出して、かつ、トローチ、タブレット、カプセル、ウエハー及び類似の形の試薬５”と接触し、加熱／吸熱反応を引き起こす。図１、１ａ。
【００５２】
反応室４は、反応生成物５’及び５”と消費用製品２”との間に密閉障壁を作り出すために、ポケット３内に側面から導入される。図２、２ａ、５。
【００５３】
ポケット２は、シート２’の輪郭縁１’、１”、１”’の接合（通常は縫合）によって構築される。図３、５。
【００５４】
反応室４を含む安全ポケット３は消費用製品２“”を含むポケット２の内側に介在して配置され、かつ、シート３’を折り畳むことによって構築され、その結果異なる長さの２つの片Ｂ及びＡ”−Ａ’をそれぞれ示す；前記ポケット３はポケット２の内側でポケット３のＡ”点からシート３’の長縁Ａ”−Ａ’に折り畳むことによって構築され、前記シート３’はその末端Ａ’、Ａを、ポケット２を構築するシート２’の末端縁Ｂ、Ｃにそれぞれ接合し、Ａ’−Ｂ及びＡ−Ａ”−Ｃのそれぞれにおいてポケット３及び同時に直立容器１を構築する。図６、６ａ、６ｂ、６ｃ。
【００５５】
このような方法でシート２’及び３’の前記縁を接合することで、我々は同様に、直立型の本発明の容器１の支持足部１’、１”を得る。図４、５、７。
【００５６】
このような方法で構築されるポケット３の内部に、反応手段５−５’（反応液体を含む袋）及び５”（試薬）を備える反応室４が挿入される。図４、（断面図３）、５。
【００５７】
袋の縁及び中央又は反応室４の液体５を含む泡のドット部分は、調整される崩壊のための縫い目を示す。図１、１ａ、２ａ、６、７。
【００５８】
容器１の約１／３−１／４の高さの側方に配置される安全弁６は、いかなる破壊、火傷、及び過圧液体又は蒸気の激しい流出をも防ぐのに役立ち、かつ、ポケット２及び３の両方に同時に役目を果たす。
【００５９】
安全弁６は包装の側面に確実に配置され、すなわち１”’に縫合され、好ましくは両側面又は左側若しくは右側に、包装の底から計算して、反応室４を含むポケット３の約１／２の高さに位置する点に配置され、外部の包装の約１／４の長さのところに配置される。
【００６０】
最後に、容器１はポケット２の頂部に柔軟に適用され、かつ内部の消費用製品２”の消費用の閉鎖蓋８で覆われる注ぎ口７を同様に備える。
【００６１】
実際は、柔軟な方法で容器に適用されるので、注ぎ口７の首は蓋８には完全には覆われない。
【００６２】
反応室がその後導入される開口部は、正面又は透視図で示す。図２、２ａ、５、６、７。
【００６３】
断面ＩＶ−ＩＶでは、反応室４を含むポケット３が、単一の壁に固定されるだけなので、どのように脇に配置されるかが見える。図３、４。
【００６４】
その上、容器１内部の反応室４を備えるポケット３の脇に、消費用製品２”を含むポケット２は存在するはずがないと思われる可能性があるために、誤解を招くおそれのある正面図に反して、断面からはそれが明らかである；実際には、ポケット２は通常の包装のように両側に存在する。図４、６ａ、６ｃ。
【００６５】
常に直立型に関連して、我々は、容器１の内部壁のその縫い目と反対側、すなわち消費用製品２”を含むポケット２の内部壁２’の反対側に、低位置、すなわち容器１の底部に反応室４を含むポケット３が、反応室４用のポケット３を構築するシート３のその内部壁３’の一つを示し、その長辺Ａ”−Ａ’はその折り畳み点Ａ”でシート３が、ポケット２の壁Ｃと一緒のそのもう一方の壁Ａと共に折り畳まれ、かつ密封され、さらに超過するＡ”−Ａ’の残りの長辺部は直立包装のアーチ底部を構築し始め、その一方前記Ａ”−Ａ’はその末端縁Ａ’を容器１のポケット２の外部及び内部壁Ｂと縫合することによって接合され、密閉を備える全体を構築し、かつ、容器１のアーチ底部を構築し、それと同時に下部縁１’、１”に水平面に置かれる場合に容器全体を上向きに立たせるその支持基盤を構築することを可能にすることを特定する。図６、６ａ、６ｂ、６ｃ、７。
【００６６】
反応室４を含むポケット３は、一つの壁にのみ固定されるだけなので、結果として脇に配置される。図４、６ａ、６ｂ、６ｃ。
【００６７】
同様に、反応室４は上向きにも置かれうることは強調する価値がある；実際には消費用製品の種類又はその他の必要性による（具体的には、利用者が消費のために活性化し、かつ手に持つ代わりに、熱反応の完了、及び次の待機消費を待つために台の上に置くことが予想される場合の、直立包装のためである）；反応室内部の分離障壁の破壊のときに化学生成物の上に重力で下降しうる上部の液体を備える、上向き位置の反応室を有するという事実はさらに、容器を振ることで自身に既に獲得可能であり、使用説明書で推奨されるようなもので、かつ、トローチが発生の同質性及び同時性、並びに熱効果の拡散を支持する目的及び効果を既に有することが原因の効果である、液体の化学生成物への同時かつ同質のより速い拡散を容易にしうる。
【００６８】
安全弁６に関係する、我々が言及するその様々な機能及び容器の利用は上述された。
【実施例２】
【００６９】
実施例２−包装又は袋としての標準容器
容器は以下の要素を含む：
−シート２’によって構築される消費用製品用のポケット２；
−消費用製品２”；
−シート３’を折り畳むことによって構築される反応室を含むポケット３；
−反応室４；
−反応液体５’を含み、プリセットの破壊域１０又は１１を備える袋５；
−反応液体５’；
−錠剤、カプセル又はその他の形の化学試薬５”；
−標識としても意図的に機能する、累積過圧安全弁６；
−注ぎ口７及び蓋８；
−容器の袋を破って開けるための通風域又は線９；
−容器の密封した縫い目１”’；
−最初の底部からの反応室の挿入のための開口部、及びそしてそれに続く閉鎖のための密封を構築する、消費用製品のポケット及び反応室の容器のポケットのそれぞれの縁Ｂ−Ｃ及びＡ−Ａ’。
【００７０】
好ましくは食品または他のクリーム状又は粘着性状の製品であって、食用又は非食用の製品に適している標準包装容器の本実施について、反応室４は、反応室４を含むポケット３の両方の壁に固定される（縫い合わされる、すなわち二重の縫合点）。図１０、１２、（断面ＸＩ−ＸＩの図１１）、１３、１３ａ、１３ｂ、及び１４、１４ａ、１４ｂ。
【００７１】
反応室４を含む中間ポケット３の意図は、実際には交換可能なカートリッジを得ることではない：新たな目的は単に交換能力／リチャージを可能にする介在包装を作ることではなく、主として消費用製品と反応室との接触を防ぐことである。図８、８ａ、９、９ａ。
【００７２】
図８ａ、９ａに示されるように、反応室４は上向きにもまた配置されうるものであり、これは標準容器で同様に可能である。
【００７３】
同様に、本実施の方法の標準の包装容器において、反応室４を収容するよう意図するポケット３はシート３’を折り畳むことによって構築され、シート３’の縁Ａ−Ａ’を最初に消費用製品のポケット２を構築するシート２’の縁Ｂ−Ｃと接合し、反応室４が底部から導入され、かつ配置された後、その上密閉封鎖Ｂ−Ａ――Ａ’−Ｃを同時に接合する。図１０、１２、（断面ＸＩ−ＸＩの図１１）、１３ａ、１３ｂ、１４、１４ａ、１４ｂ。
【００７４】
同様に、本発明のこの実施方法による容器は、化学反応室４内の化学反応によって発生する可能性のある超過圧力を調整し、製品の誤った使用又は化学試薬の誤った用量の場合の化学反応の爆燃を防ぐ目的で、ポケット２及びポケット３に対して、同時にその機能を果たす二重機能弁６を備える。図８、８ａ、９、９ａ、１１。
【００７５】
この型において同様に興味深いことには、弁６の二次的な利用として、望まれる／最適な温度差に応じた異なる色の様々な帯、又は火力を区別するためのその他の着色された可視的標識を、屈折する（ｒｅｆｒａｃｔｉｎｇ）着色標識に置換し、その結果「カスタマイズ」し、かつより効果的で、かつより安全に基準温度に従って利用することができる。
【産業上の利用可能性】
【００７６】
意図される利用
本発明の容器は柔軟で、携帯用であり、扱いやすく、かつ安全な容器であり、かつ様々な利用及び応用に適しており、具体的には、運動及び自由時間用の、清涼飲料水、回復用、エネルギー補給用、強壮用、飲料及びソフトドリンク；飲料及び液体食品、ソース、クリーム及び香味料；栄養補給によるベビーボトル及びディスペンサーとして使用されるベビーフーズ；化粧品、ボディケア適用物、美容、保温及び福祉の処置用品（ｔｒｅａｔｍｅｎｔｓ）；薬品、治療用品（ｔｈｅｒａｐｅｕｔｉｃｓ）、補助剤、治療製剤の投与のためのすぐに使える薬包及び健康用の栄養統合品；軍隊用の衛生器具及び供給食料；災害での市民部隊の介入用及び人道介入用の製品、供給品及び救急品；（接着剤、密閉手段、パテ、漆喰、塗料、化合物等のような）産業及び建築の製品；娯楽及び日曜大工の製品のような消費用製品及び／又は必需製品であって、それらの応用／利用のための最小限又はプリセット温度を必要とする、前記製品の使い捨て容器としての利用及び応用に適している。
【００７７】
その上、前記容器は、例えば牛乳、飲料又は他の商品の冷凍品をしばらくの間、販売業者から消費者へ運びうる、スーパーマーケットの保温性の包装に取って代わる。
【００７８】
最後に、前記容器は航空利用の包装：液体及び固体の食品、飲用水又は清浄水、クリーム、薬などにおいての将来の応用に適している。
【００７９】
本発明の認定の主題は、「すぐに持ち運べ、すぐに利用できる」調製物の扱いやすい容器の分野で、技術的観点から安全が上昇した手段の導入、かつ消費者性向及び市場への革新的な効果の導入の両方の急進的革新を示す。
【図１】
2016531057.tif 000003
【図１ａ】
2016531057.tif 000004
【図２】
2016531057.tif 000005
【図２ａ】
2016531057.tif 000006
【図３】
2016531057.tif 000007
【図４】
2016531057.tif 000008
【図５】
2016531057.tif 000009
【図６】
2016531057.tif 000010
【図６ａ】
2016531057.tif 000011
【図６ｂ】
2016531057.tif 000012
【図６ｃ】
2016531057.tif 000013
【図７】
2016531057.tif 000014
【図８】
2016531057.tif 000015
【図８ａ】
2016531057.tif 000016
【図９】
2016531057.tif 000017
【図９ａ】
2016531057.tif 000018
【図１０】
2016531057.tif 000019
【図１１】
2016531057.tif 000020
【図１２】
2016531057.tif 000021
【図１３】
2016531057.tif 000022
【図１３ａ】
2016531057.tif 000023
【図１３ｂ】
2016531057.tif 000024
【図１４】
2016531057.tif 000025
【図１４ａ】
2016531057.tif 000026
【図１４ｂ】
2016531057.tif 000027
【国際調査報告】
2016531057.tif 000028
2016531057.tif 000029